(57)【要約】【課題】遊技者が表示器のボタンを操作することなく、表示内容を変更できる表示器、遊技機の椅子、表示システムを提供すること。【解決手段】膳板１１上には、子リモコン装置１５−１、１５−２・・・が、各パチンコ機３それぞれに設けられる。子リモコン装置１５−１、１５−２・・・には、複数のボタン１７−１、１７−２・・・が設けられる。パチンコ機３の表示器５−１、５−２・・・および対応する子リモコン装置１５−１、１５−２・・・には、親リモコン装置１９によってそれぞれ固有のＩＤ番号が設定される。例えば表示器５−１は、子リモコン装置１５−１、１５−２・・・から送信される信号に含まれるＩＤ番号が一致した場合にのみ、送られる信号の内容を実行する。【選択図】  図１
2005046177.tif 000002
【特許請求の範囲】
【請求項１】
遊技機に用いられる表示器であって、
ＩＤ番号を記憶する記憶手段と、
第１のリモコン装置から送られるＩＤ番号を受信する受信手段と、
受信されたＩＤ番号と、前記記憶手段に記憶された前記ＩＤ番号とを比較する比較手段と、
前記比較手段により、ＩＤ番号が一致するとされた場合、前記第１のリモコン装置からの指示を実行する実行手段と、
を具備することを特徴とする表示器
【請求項２】
第２のリモコン装置により、前記記憶手段にＩＤ番号が設定されることを特徴とする請求項１記載の表示器。
【請求項３】
前記遊技機はパチンコ遊技機であることを特徴とする請求項１記載の表示器。
【請求項４】
前記遊技機はスロットマシン機であることを特徴とする請求項１記載の表示器。
【請求項５】
ＩＤ番号を記憶する記憶手段と、
遊技機側から送られるＩＤ番号を含む信号を受信する受信手段と、
受信されたＩＤ番号と、前記記憶手段に記憶された前記ＩＤ番号とを比較する比較手段と、
前記比較手段により、ＩＤ番号が一致するとされた場合、前記信号に従って表示を行う表示手段と、
を具備することを特徴とする遊技機の椅子。
【請求項６】
リモコン装置により、前記記憶手段にＩＤ番号が設定されることを特徴とする請求項５記載の遊技機の椅子。
【請求項７】
前記遊技機はパチンコ遊技機であることを特徴とする請求項５記載の遊技機の椅子。
【請求項８】
前記遊技機はスロットマシン機であることを特徴とする請求項５記載の遊技機の椅子。
【請求項９】
遊技機と椅子からなる表示システムであって、
前記遊技機は、
ＩＤ番号を含む信号を送信する送信手段を有し、
前記椅子は、
前記遊技機から送信されたＩＤ番号を含む信号を受信する受信手段と、
予め記憶されたＩＤ番号と受信されたＩＤ番号とを比較する比較手段と、
前記遊技機から送信されたＩＤ番号が一致する場合に、前記信号に従って表示を行う表示手段と、
を具備することを特徴とする表示システム。
【請求項１０】
前記遊技機はパチンコ遊技機であることを特徴とする請求項９記載の表示システム。
【請求項１１】
前記遊技機はスロットマシン機であることを特徴とする請求項９記載の表示システム。
【発明の詳細な説明】
【０００１】
【発明の属する技術分野】
本発明は遊技機の表示器、遊技機の椅子、表示システムに関するものである。
【０００２】
【従来の技術】
従来、パチンコ遊技機等の遊技機に設けられている表示器において、例えば当日および当日以前のスタート回数や大当り回数等の遊技機の作動状況は、遊技者が表示器に備えられた各種ボタンを押したり、ボタンを複数回押したりすること等により表示される。遊技者が何らかの理由により従業員を呼び出す場合には、表示器や表示器の付近に備えられた従業員呼び出しボタンを押す。
また、遊技場の従業員は、リモコン装置を操作することにより、各表示器に表示内容を送信したり、呼び出し表示等を解除したりする（例えば特許文献１参照）。
【０００３】
【特許文献１】
特開平８−１９６５７
【０００４】
【発明が解決しようとする課題】
しかしながら、従来のリモコン装置は、主に従業員が使用するものであり、遊技者が従業員を呼び出す場合に使用したり、表示器の表示内容を切り替えて表示したりできるリモコン装置は備えられておらず、遊技者にとって不便である、という問題点があった。
本発明は、このような問題点に鑑みてなされたものであり、その目的とするところは、遊技者が表示器のボタンを操作することなく、表示内容を変更できる表示器、遊技機の椅子、表示システムを提供することである。
【０００５】
【課題を解決するための手段】
前述した目的を達成するため、第１の発明は、遊技機に用いられる表示器であって、ＩＤ番号を記憶する記憶手段と、第１のリモコン装置から送られるＩＤ番号を受信する受信手段と、受信されたＩＤ番号と、前記記憶手段に記憶された前記ＩＤ番号とを比較する比較手段と、前記比較手段により、ＩＤ番号が一致するとされた場合、前記第１のリモコン装置からの指示を実行する実行手段と、を具備することを特徴とする表示器である。
【０００６】
ここで、ＩＤ番号とは、各表示器および第１のリモコン装置にそれぞれ設定される番号であり、従業員によって第２のリモコン装置を用いて設定される。
第１の発明では、表示器は、第１のリモコン装置から送られるＩＤ番号が設定されたＩＤ番号と一致する場合、第１のリモコン装置から送られる指示を実行する。
【０００７】
第２の発明は、ＩＤ番号を記憶する記憶手段と、遊技機側から送られるＩＤ番号を含む信号を受信する受信手段と、受信されたＩＤ番号と、前記記憶手段に記憶された前記ＩＤ番号とを比較する比較手段と、前記比較手段により、ＩＤ番号が一致するとされた場合、前記信号に従って表示を行う表示手段と、を具備することを特徴とする遊技機の椅子である。
【０００８】
第２の発明では、遊技機の椅子は、遊技機の表示器に設けられた送信部から送られる信号に含まれるＩＤ番号と、予め設定されたＩＤ番号が一致する場合、遊技機の表示器から送られた信号の指示に従って表示を行う。尚、ＩＤ番号は、従業員によってリモコン装置を用いて設定される
【０００９】
第３の発明は、遊技機と椅子からなる表示システムであって、前記遊技機は、ＩＤ番号を含む信号を送信する送信手段を有し、前記椅子は、前記遊技機から送信されたＩＤ番号を含む信号を受信する受信手段と、予め記憶されたＩＤ番号と受信されたＩＤ番号とを比較する比較手段と、前記遊技機から送信されたＩＤ番号が一致する場合に、前記信号に従って表示を行う表示手段と、を具備することを特徴とする表示システムである。
【００１０】
第３の発明では、遊技機の表示器が表示を行うとともに、椅子に設けられた表示器が、遊技機の指示に従って遊技機の表示器と同様の表示を行う。
【００１１】
【発明の実施の形態】
以下、図面に基づいて本発明の実施の形態を詳細に説明する。以下の実施の形態では、パチンコ遊技機を例にして説明する。ここでパチンコ遊技機とは、パチンコ遊技を行うための装置である。
【００１２】
図１は、パチンコ遊技機１の構成概略図である。
パチンコ遊技機１は、複数のパチンコ機３が横に並べて設置されたものである。
【００１３】
各パチンコ機３には、各種の表示を行う表示器５−１、５−２・・・、パチンコ遊技を行う盤面７、パチンコ球を操作するハンドル９等がそれぞれ設けられる。遊技者は、ハンドル９を操作することにより盤面７上でパチンコ遊技を行う。盤面７の下部には、パチンコ球を受ける受皿１３が設けられる。
【００１４】
パチンコ遊技機１には、膳板１１が設けられる。複数のパチンコ機３は、膳板１１の上部に横に並べて設置される。膳板１１の前部は、通常パチンコ玉を入れる箱を置く玉置台として使用される。
【００１５】
膳板１１上には、子リモコン装置１５−１、１５−２・・・が、各パチンコ機３それぞれに設けられる。子リモコン装置１５−１、１５−２・・・は、膳板１１上に固定されることが望ましいが、鎖等によって膳板１１に取り付けられてもよい。
【００１６】
子リモコン装置１５−１、１５−２・・・には、複数のボタン１７−１、１７−２・・・が設けられる。例えば、ボタン１７−１は、遊技者が従業員を呼び出す場合に押され、ボタン１７−２は、大当り回数を表示させたい場合に押される。
【００１７】
パチンコ機３の表示器５−１、５−２・・・には、親リモコン装置１９によってそれぞれ固有のＩＤ番号が設定される。親リモコン装置１９は、通常遊技場の従業員が使用する。
【００１８】
親リモコン装置１９は、各表示器５−１、５−２・・・に設定したＩＤ番号を、対応する子リモコン装置１５−１、１５−２・・・にも送信し、子リモコン装置１５−１、１５−２・・・にも、それぞれ固有のＩＤ番号が設定される。
【００１９】
図２は、表示器５−１、５−２・・・の構成を示すブロック図である。ここでは表示器５−１について説明する。
表示器５−１は、制御部２３、受信部２５、表示部２７、送信部２６、発光部２９等によって構成される。各構成要素は、バス２１を介して接続される。
【００２０】
制御部３３は、ＣＰＵ、メモリ等を備えており、ＣＰＵは、演算処理機能を有し、メモリは、プログラムや、ＩＤ番号等のデータを記憶する。また、ＣＰＵは、対応する子リモコン装置１５−１から送信されたＩＤ番号と、メモリに記憶されたＩＤ番号とを比較したり、表示部２７および発光部２９の制御等を行う。
【００２１】
受信部２５は、親リモコン装置１９から送信される信号や、子リモコン装置１５−１から送信される信号を受信し、制御部２３に送る。
送信部２６は、他の表示器に同様の表示を行う場合に、他の表示器へＩＤ番号を有する信号等を送信する。
【００２２】
表示部２７は、制御部２３の指示により大当り回数の数字等を表示する。また、発光部２９は、ランプ等であり、制御部２３の指示により、例えば従業員を呼び出した場合や大当りが出た場合等に種々の発光態様で発光する。
【００２３】
図３は、親リモコン装置１９の構成を示すブロック図である。
親リモコン装置１９は、制御部３３、受信部３５、送信部３７等で構成され、各構成要素は、バス３１を介して接続される。
【００２４】
制御部３３は、ＣＰＵ、メモリ等を備えており、ＣＰＵは演算処理機能を有し、メモリはＩＤ番号等のデータを記憶する。受信部３５は、各種信号を受信する。
送信部３７は、表示器５−１、５−２・・・や、子リモコン装置１５−１、１５−２・・・にそれぞれＩＤ番号や、その他の信号を送信する。
【００２５】
図４は、子リモコン装置１５−１、１５−２・・・の構成を示すブロック図である。ここでは子リモコン装置１５−１について説明する。
子リモコン装置１５−１は、制御部４３、受信部４５、送信部４７、ボタン１７−１、１７−２・・・等で構成され、各構成要素は、バス４１を介して接続される。
【００２６】
制御部４３は、ＣＰＵ、メモリ等を備えており、ＣＰＵは演算処理機能を有し、メモリはＩＤ番号等のデータを記憶する。受信部４５は、親リモコン装置１９から送られるＩＤ番号等を受信する。送信部４７は、制御部４３からの指示により、対応する表示器５−１にＩＤ番号や呼び出し信号等を送信する。
【００２７】
図５は、子リモコン装置１５−１、１５−２・・・から発せられる信号の内容を示す図である。
【００２８】
例えば子リモコン装置１５−１のボタン１７−１が押された場合、子リモコン装置１５−１の送信部４７は、ＩＤ番号５１−１を有する従業員呼び出し信号５１−２を送信する。
また、子リモコン装置１５−１のボタン１７−２が押された場合、送信部４７は、ＩＤ番号６１−１を有する大当り回数表示要求信号６１−２を送信する。
【００２９】
次に、本実施の形態の動作について説明する。
親リモコン１９には、あらかじめ制御部３３のメモリに、各表示器５−１、５−２・・・および子リモコン装置１５−１、１５−２・・・に対応するＩＤ番号が記憶される。
【００３０】
遊技場の従業員は、親リモコン装置１９を用いて、表示器５−１、５−２・・・および対応する子リモコン装置１５−１、１５−２・・・に、それぞれのＩＤ番号を送信する。即ち表示器５−１と子リモコン装置１５−１には、同じＩＤ番号が設定され、同様に、表示器５−２と子リモコン装置１５−２には、同じＩＤ番号が設定される。
【００３１】
尚、親リモコン装置１９に記憶されるＩＤ番号は、親リモコン装置１９にテンキー等を設けて、従業員がテンキー等を用いてＩＤ番号を入力するようにしてもよい。
【００３２】
次に、図６のフローチャートを参照しながら、子リモコン装置１５−１、１５−２・・・の制御部４３の主な動作について説明する。ここでは、子リモコン装置１５−１について説明する。
【００３３】
はじめに、子リモコン装置１５−１の制御部４３は、ボタン１７−１が押されたかどうか判断する（ステップ２０１）。ボタン１７−１は、例えば図５（ａ）に示したように、ＩＤ番号５１−１および従業員呼び出し信号５１−２を送るボタンである。
【００３４】
ステップ２０１でボタン１７−１が押された場合、制御部４３は、例えば図５（ａ）に示したように、ＩＤ番号５１−１および従業員呼び出し信号５１−２を送る（ステップ２０２）。ＩＤ番号５１−１および従業員呼び出し信号５１−２は、制御部４３の指示により、送信部４７から表示器５−１等に送信される。
【００３５】
次に、図７のフローチャートを参照しながら、表示器５−１、５−２・・・の制御部２３の主な動作について説明する。ここでは、表示器５−１の制御部２３について説明する。
【００３６】
表示器５−１の制御部２３は、子リモコン装置１５−１から送信された信号を受信する（ステップ３０１）。子リモコン装置１５−１から送信される信号とは、例えば図５（ａ）に示したように、ＩＤ番号５１−１および従業員呼び出し信号５１−２である。
【００３７】
次に、制御部２３は、記憶しているＩＤ番号と、送信されたＩＤ番号５１−１とは一致するかどうか判断する（ステップ３０２）。記憶しているＩＤ番号とは、親リモコン装置１９から送信され、制御部２３のメモリに記憶されたＩＤ番号である。
【００３８】
ＩＤ番号が一致する場合、ＩＤ番号５１−１に続いて送信された従業員呼び出し信号５１−２を実行し、発光部２９を発光させる（ステップ３０３）。ＩＤ番号が一致しない場合は、ステップ３０１へ戻る。
【００３９】
このように、子リモコン装置１５−１のＩＤ番号は、対応する表示器５−１のＩＤ番号と同じなので、子リモコン装置１５−１から従業員呼び出し信号を送れば、表示器５−１に従業員呼び出しの表示を行うことができるが、表示器５−２はＩＤ番号が異なるため、子リモコン装置１５−１から従業員呼び出し信号を送っても、表示器５−２は従業員呼び出しの表示は行わない。
【００４０】
従って、子リモコン装置１５−１のボタン１７−１が押されて信号が発せられ、この信号を表示器５−２が受信しても、表示器５−２は、この信号に反応することはない。
【００４１】
このように、本実施の形態によれば、パチンコ機３の遊技者は、表示器５−１のボタンを押すことなく、子リモコン装置１５−１のボタン１７−１、１７−２等を押すことにより、表示器５−１に表示をさせることができるため、表示器５−１まで腕を伸ばす等の煩わしさを省くことができる。
【００４２】
次に、他の実施の形態について説明する。
図８は、他の実施の形態に係る椅子７１に設けられた表示器７３−１、７３−２・・・の構成を示す図である。椅子７１は、パチンコ機３の遊技者が座って遊技を行うものである。
【００４３】
表示器７３−１、７３−２・・・は、椅子７１に設けられる。尚、表示器７３−１、７３−２・・・は、図８に示すように椅子７１の背面に設けられてもよいが、椅子７１全体に設けられてもよい。
【００４４】
図９は、表示器７３−１、７３−２・・・の構成を示すブロック図である。ここでは表示器７３−１について説明する。表示器７３−１は、制御部８３、受信部８５、表示部８７、発光部８９から構成され、各構成要素は、バス８１を介して接続される。
【００４５】
表示器７３−１には、表示器５−１と同じＩＤ番号が設定される。設定されたＩＤ番号は、制御部８３に記憶される。表示器７３−１に設定されるＩＤ番号は、予め、従業員により親リモコン装置１９を用いて設定される。
【００４６】
受信部８５は、表示器５−１から送信された信号を受信する。表示部８７は、制御部８３の指示により数字等を表示し、発光部８９は、ランプ等を有し、種々の発光態様で発光する。
【００４７】
図１０は、表示器５−１、５−２・・・から発せられる信号の内容を示す図である。表示器５−１には、送信部２６が設けられ（図２参照）、例えば、大当りが出た場合、表示器５−１は、表示部２７等において大当り表示を行い、同時に、送信部２６からＩＤ番号９１−１を有する大当り信号９１−２を送信する。
【００４８】
表示器８３−１は、表示器５−１から、ＩＤ番号９１−１を有する大当り信号９１−２を受け取った場合、記憶されたＩＤ番号と比較して、送られたＩＤ番号９１−１が一致する場合に大当り信号を表示部８７等に表示させる。
【００４９】
尚、表示器５−１の送信部２６から送信される信号は、遊技機３に設けられた別の送信部（図示せず）から送信されてもよい。
【００５０】
このように、本実施の形態によれば、表示器５−１の表示内容と同じ内容を椅子８１に設けられた表示器８３−１に表示させる。
遊技機の表示器と椅子の表示器を用いることにより、大当り等の表示を目立たせて、従業員や他の遊技者等にすみやかに知らせることができる。
【００５１】
また、本実施の形態では、パチンコ遊技機について説明したが、例えばスロットマシン機等への適用も可能である。
尚、本実施の形態の技術的範囲は、前述した実施の形態に限られるものではなく、種々の改変が可能であり、改変されたものも本発明の技術的範囲に含まれる。
【００５２】
【発明の効果】
以上、詳細に説明したように本発明によれば、遊技者が表示器のボタンを操作することなく、表示内容を変更できる表示器、遊技機の椅子、表示システムを提供することが出来る。
【図面の簡単な説明】
【図１】パチンコ遊技機１の構成を示す図
【図２】表示器５−１の構成を示すブロック図
【図３】親リモコン装置１９の構成を示すブロック図
【図４】子リモコン装置１５−１の構成を示すブロック図
【図５】子リモコン装置１５−１、１５−２・・・から発せられる信号の内容を示す図
【図６】制御部４３の動作を示すフローチャート
【図７】制御部２３の動作を示すフローチャート
内容を示す図
【図８】他の実施の形態に係る椅子７１に設けられた表示器７３−１、７３−２・・・の構成を示す図
【図９】表示器７３−１の構成を示すブロック図
【図１０】表示器５−１、５−２・・・から発せられる信号の内容を示す図
【符号の説明】
１・・・・パチンコ遊技機
３・・・・パチンコ機
５−１、５−１・・・・表示器
７・・・・盤面
９・・・・ハンドル
１１・・・膳板
１３・・・受皿
１５−１、１５−２・・・子リモコン装置
１７−１、１７−２・・・ボタン
１９・・・親リモコン装置
【図１】
2005046177.tif 000003
【図２】
2005046177.tif 000004
【図３】
2005046177.tif 000005
【図４】
2005046177.tif 000006
【図５】
2005046177.tif 000007
【図６】
2005046177.tif 000008
【図７】
2005046177.tif 000009
【図８】
2005046177.tif 000010
【図９】
2005046177.tif 000011
【図１０】
2005046177.tif 000012